(57)【要約】【課題】ジョブの中断・再開を行う際の操作性を改善して利便性を向上させることのできる画像処理装置、携帯情報端末、プログラム及びジョブ制御方法を提供する。【解決手段】画像処理装置の接続検知部は携帯情報端末との近距離無線通信が可能になったことを検知すると（Ｓ１でＹＥＳ）、情報通信部は携帯情報端末３に端末ＩＤを要求する（Ｓ２）。携帯情報端末の端末ＩＤ送信部は画像処理装置２から端末ＩＤの要求があると（Ｓ４でＹＥＳ）、端末ＩＤを画像処理装置に送信する（Ｓ５）。画像処理装置の情報通信部が端末ＩＤを受信し（Ｓ６でＹＥＳ）、ジョブ制御部は実行中又は未実行のジョブがあると（Ｓ７でＹＥＳ）、該ジョブの実行を中断状態に設定し（Ｓ８）、無いと判断すると（Ｓ７でＮＯ）、中断状態に設定されているジョブがあるか否かを判断し（Ｓ１０）、あると判断すると（Ｓ１０でＹＥＳ）、ジョブの中断状態を解除する（Ｓ１１）。【選択図】図５
2014187485.tif 000002
【特許請求の範囲】
【請求項１】
携帯情報端末と通信可能な画像処理装置であって、
前記携帯情報端末から端末識別情報を取得する端末識別情報取得手段と、
前記端末識別情報取得手段による端末識別情報の取得を条件として、実行中又は未実行のジョブの実行を中断状態に設定するジョブ中断手段と、
前記ジョブ中断手段により中断状態に設定された中断ジョブのジョブ識別情報と前記端末識別情報取得手段で取得された端末識別情報とを対応付けた中断ジョブ管理テーブルを生成する中断ジョブ管理テーブル生成手段と、
前記端末識別情報取得手段による端末識別情報の取得を条件として、前記中断ジョブ管理テーブルに基づき当該端末識別情報に対応する中断ジョブを検出し、該中断ジョブの中断状態を解除するジョブ中断解除手段と、
を備える画像処理装置。
【請求項２】
前記ジョブ中断手段は、実行中又は未実行のジョブがある状態で、前記端末識別情報取得手段により端末識別情報が取得されることに伴い、該ジョブの実行を中断状態に設定する請求項１に記載の画像処理装置。
【請求項３】
前記ジョブ中断解除手段は、前記中断ジョブ管理テーブルに中断ジョブが登録されている状態で、前記端末識別情報取得手段により端末識別情報が取得されることに伴い、該中断ジョブの中断状態を解除する請求項１又は２に記載の画像処理装置。
【請求項４】
実行中又は未実行のジョブのジョブ識別情報と該ジョブを入力したユーザのユーザ識別情報とを対応付けた待機ジョブ管理テーブルを記憶する待機ジョブ管理テーブル記憶手段をさらに備え、
前記ジョブ中断手段は、前記端末識別情報取得手段で端末識別情報が取得されると、該端末識別情報に予め対応付けられたユーザ識別情報を検出するとともに、該ユーザ識別情報に対応するジョブ識別情報を前記待機ジョブ管理テーブルに基づき検出し、当該ジョブ識別情報に係るジョブを中断状態に設定する請求項１乃至３の何れか一項に記載の画像処理装置。
【請求項５】
前記端末識別情報取得手段により端末識別情報が取得されることに伴い、前記中断状態の設定又は前記中断状態の解除の選択を受け付ける選択受付手段をさらに備え、
前記ジョブ中断手段は、前記選択受付手段によって前記中断状態の設定が受け付けられた場合に機能し、
前記ジョブ中断解除手段は、前記選択受付手段によって前記中断状態の解除が受け付けられた場合に機能する請求項１乃至４の何れか一項に記載の画像処理装置。
【請求項６】
前記ジョブ中断解除手段は、中断ジョブを検出すると、該中断ジョブに対する中断解除に関する選択を受け付け、中断解除の選択を受け付けた場合に当該中断ジョブの中断状態を解除する請求項１乃至５の何れか一項に記載の画像処理装置。
【請求項７】
前記ジョブ中断解除手段は、複数の中断ジョブを検出したとき、中断ジョブごとに中断解除に関する選択を受け付ける請求項６に記載の画像処理装置。
【請求項８】
前記ジョブ中断手段により実行中のジョブが中断されることに伴い、当該中断ジョブに係る未処理データに端末識別情報を付加する端末識別情報付加手段をさらに備え、
前記ジョブ中断解除手段は、実行中であった中断ジョブの中断状態解除に伴い、当該端末識別情報に基づいて未処理データを取得し、該未処理データに基づき当該中断ジョブの実行を途中から再開させる請求項１乃至７の何れか一項に記載の画像処理装置。
【請求項９】
前記端末識別情報付加手段により端末識別情報が付加された未処理データを記憶する未処理データ記憶手段をさらに備え、
前記ジョブ中断解除手段は、実行中であった中断ジョブの中断状態解除に伴い、当該中断ジョブに対応する未処理データを前記未処理データ記憶手段から読み出して取得する請求項８に記載の画像処理装置。
【請求項１０】
前記ジョブ中断手段により実行中のジョブが中断された場合、当該中断ジョブに係る未処理データと付加された端末識別情報とを外部サーバに送信する未処理データ送信手段をさらに備え、
前記ジョブ中断解除手段は、実行中であった中断ジョブの中断状態解除に伴い、当該中断ジョブ対応する未処理データを前記外部サーバから取得する請求項８に記載の画像処理装置。
【請求項１１】
前記中断ジョブ管理テーブル生成手段により生成された中断ジョブ管理テーブルを携帯情報端末に送信するテーブル送信手段と、
携帯情報端末から送信される中断ジョブ管理テーブルを受信するテーブル受信手段と、
をさらに備え、
前記中断ジョブ検出手段は、前記端末識別情報取得手段によって端末識別情報が取得されることに伴い、前記テーブル受信手段が当該携帯情報端末から受信する前記中断ジョブ管理テーブルに基づき中断ジョブの検出を行う請求項１乃至１０の何れか一項に記載の画像処理装置。
【請求項１２】
携帯情報端末が当該画像処理装置に対して前記中断状態の解除要求を行うためのプログラムを生成するプログラム生成手段と、
前記プログラム生成手段により生成されたプログラムを携帯情報端末に送信するプログラム送信手段と、
携帯情報端末において前記プログラムが起動されることに伴い該携帯情報端末から送信される前記解除要求を受信する解除要求受信手段と
をさらに備え、
前記ジョブ中断解除手段は、前記解除要求受信手段で受信された解除要求に基づき、前記中断ジョブの中断状態を解除する請求項１乃至１１の何れか一項に記載の画像処理装置。
【請求項１３】
携帯情報端末から送信される解除要求に基づいて中断ジョブの中断状態が解除されることに伴い、当該携帯情報端末に対して前記プログラムの削除を要求するプログラム削除要求手段をさらに備える請求項１２に記載の画像処理装置。
【請求項１４】
前記プログラム削除要求手段による前記プログラムの削除要求に伴って携帯情報端末から送信される削除完了通知を受信する通知受信手段と、
前記通知受信手段で前記削除完了通知が受信されると、当該ジョブの実行完了後に該ジョブに係る処理データを削除する処理データ削除手段と
を備える請求項１３に記載の画像処理装置。
【請求項１５】
ジョブを実行する画像処理装置を通信相手として検知する通信相手検出手段と、
自機の端末識別情報を記憶する端末識別情報記憶手段と、
前記通信相手検出手段が前記画像処理装置を通信相手として検出することに伴い、前記端末識別情報記憶手段に記憶されている前記端末識別情報を読み出して前記画像処理装置へ送信することにより、前記画像処理装置において実行中又は未実行のジョブを中断状態に設定すると共に、中断ジョブの中断状態を解除するジョブ制御手段と、
を備える携帯情報端末。
【請求項１６】
携帯情報端末と通信可能な画像処理装置を動作させるプログラムであって、
前記画像処理装置を、
前記携帯情報端末から端末識別情報を取得する端末識別情報取得手段、
前記端末識別情報取得手段による前記端末識別情報の取得を条件として、実行中又は未実行のジョブの実行を中断状態に設定するジョブ中断手段、
前記ジョブ中断手段により中断状態に設定された中断ジョブのジョブ識別情報と前記端末識別情報取得手段で取得された端末識別情報とを対応付けた中断ジョブ管理テーブルを生成する中断ジョブ管理テーブル生成手段、及び、
前記端末識別情報取得手段による前記端末識別情報の取得を条件として、前記中断ジョブ管理テーブルに基づき当該端末識別情報に対応する中断ジョブを検出し、該中断ジョブの中断状態を解除するジョブ中断解除手段、
として機能させるためのプログラム。
【請求項１７】
自機の端末識別情報を所定の記憶手段に記憶した携帯情報端末において実行されるプログラムであって、前記携帯情報端末を、
ジョブを実行する画像処理装置を通信相手として検知する通信相手検出手段、及び、
前記通信相手検出手段が前記画像処理装置を通信相手として検出することに伴い、前記記憶手段に記憶されている前記端末識別情報を読み出して前記画像処理装置へ送信することにより、前記画像処理装置において実行中又は未実行のジョブを中断状態に設定すると共に、中断ジョブの中断状態を解除するジョブ制御手段、
として機能させるプログラム。
【請求項１８】
携帯情報端末と通信可能な画像処理装置のジョブ制御方法であって、
端末識別情報取得手段が、前記携帯情報端末から端末識別情報を取得する端末識別情報取得ステップと、
ジョブ中断手段が、前記端末識別情報取得手段による前記端末識別情報の取得を条件として、実行中又は未実行のジョブの実行を中断状態に設定する中断状態設定ステップと、
前記ジョブ中断手段により中断状態に設定された中断ジョブのジョブ識別情報と前記端末識別情報取得手段で取得された端末識別情報とを対応付けた中断ジョブ管理テーブルを生成する中断ジョブ管理テーブル生成ステップと、
ジョブ中断解除手段が、前記端末識別情報取得手段による前記端末識別情報の取得を条件として、前記中断ジョブ管理テーブルに基づき当該端末識別情報に対応する中断ジョブを検出し、該中断ジョブの中断状態を解除するジョブ中断解除ステップと、
を備えるジョブ制御方法。 
【発明の詳細な説明】
【技術分野】
【０００１】
本発明は、画像処理装置と携帯情報端末との通信の技術分野に関する。
【背景技術】
【０００２】
プリント機能やスキャン機能を備えたＭＦＰ（Multi−Function Peripherals）などと呼ばれる画像処理装置は、一般にネットワークに接続された状態で使用され、文書データなどの各種データを送受信することができる。例えば、画像処理装置は、スキャン機能によって読み取った画像データをネットワーク経由でサーバなどに送信することが可能である。
【０００３】
一方、近年においてはタブレット端末やスマートフォンなどの携帯情報端末の普及が著しい。この種の携帯情報端末は、ＬＡＮ（Local Area Network）やＷＡＮ（Wide Area Network）、或いは公衆電話網などのネットワークに無線接続する機能を備える。そのため、携帯情報端末と画像処理装置とが通信を行うことにより、例えば携帯情報端末と画像処理装置とを互いに連携させることも可能である。
【０００４】
このような連携動作を行う携帯情報端末及び画像処理装置に関する技術文献として、例えば下記特許文献１，２がある。下記特許文献１には、携帯端末と画像処理装置との間の通信トラブルによりジョブが中断した場合、該中断後にその携帯端末が画像処理装置と再び接続すると、中断直前に送受信していた中断ジョブの処理対象データを端末に要求し、携帯端末から送信される処理対象データに基づいて中断ジョブの実行を再開する点が記載されている。
【０００５】
下記特許文献２には、ユーザが印刷中に印刷デバイスから離れた場合の情報漏洩を抑止することを目的として、携帯端末の位置を検出する構成を備え、携帯端末を所持したユーザが印刷デバイスから離れたときには該印刷デバイスによる印刷を中止し、該ユーザが携帯端末を所持したまま印刷デバイスに接近したときには、印刷ジョブ一覧を操作パネルに表示する技術が開示されている。
【先行技術文献】
【特許文献】
【０００６】
【特許文献１】特開２０１０−３１７５号公報
【特許文献２】特開２０１０−２６２６３９号公報
【発明の概要】
【発明が解決しようとする課題】
【０００７】
ところで、画像処理装置においては、一のジョブの実行中に大量のプリントを行う場合がある。このようなジョブにあってはその実行完了までに比較的長い時間がかかるため、そのジョブの実行途中で例えばユーザに所用が発生してジョブを中断させなければならない事態が生じ得る。
【０００８】
従来、このようなシチュエーションでは、ユーザは、画像形成装置の操作パネルに対し所定の操作を行ってジョブを中断させていた。また、ジョブを再開させる際にも、操作パネルに対し所定の操作を行ってジョブを再開させていた。しかし、このようなジョブの中断・再開を操作パネルに対する操作に限定されず、携帯情報端末でも行わせることができれば、ユーザの操作性はより一層向上するものと考えられる。
【０００９】
この点、特許文献２にあっては、携帯端末を所持したユーザが印刷デバイスから離れたときに、該印刷デバイスによる印刷を中止し、該ユーザがその印刷デバイスに接近したときに、中止した印刷を再開させることから、上述したシチュエーションでのユーザの手間を軽減し得ると考えられる。
【００１０】
しかしながら、特許文献２においては、ユーザが画像処理装置から離れると、ジョブを中止させずに継続して実行させておきたい場合であってもジョブが中止されることになる。すなわち、特許文献２の技術では、ユーザの意図しない中断が行われる場合が生じ得る。
【００１１】
一方、ジョブを中断するシチュエーションとして、例えば、ユーザが緊急に外出しなければならないケースが想定される。このような場合、外出先で出力物が必要であれば、中断したジョブの残りの部分を外出先の画像処理装置で出力できれば利便性が高い。
【００１２】
しかし、操作パネルに対する手動操作でジョブの中断／再開を行う場合は、外出先の画像処理装置を操作して他の画像処理装置で中断させたままのジョブを探し出すことに煩雑な手間を要し、非常に面倒であった。また、特許文献２の従来技術の場合は、ジョブを中断した状態の画像処理装置にユーザが近づくと、その中断ジョブを再開させることは可能であるが、ジョブを中断した状態の画像処理装置とは異なる外出先の画像処理装置でそのジョブの実行を再開させることができない。
【００１３】
なお、前記特許文献１は、通信トラブルによる不意の中断を課題とした技術であるため、上記のようなシチュエーションにおけるユーザの手間軽減を図る技術ではない。
【００１４】
そこで、本発明は、このような課題に鑑みてなされたものであり、ジョブの中断・再開を行う際の操作性を改善して利便性を向上させることのできる画像処理装置、携帯情報端末、プログラム及びジョブ制御方法を提供することを目的とする。
【課題を解決するための手段】
【００１５】
前記目的を達成するため、請求項１に記載の発明は、携帯情報端末と通信可能な画像処理装置であって、前記携帯情報端末から端末識別情報を取得する端末識別情報取得手段と、前記端末識別情報取得手段による端末識別情報の取得を条件として、実行中又は未実行のジョブの実行を中断状態に設定するジョブ中断手段と、前記ジョブ中断手段により中断状態に設定された中断ジョブのジョブ識別情報と前記端末識別情報取得手段で取得された端末識別情報とを対応付けた中断ジョブ管理テーブルを生成する中断ジョブ管理テーブル生成手段と、前記端末識別情報取得手段による端末識別情報の取得を条件として、前記中断ジョブ管理テーブルに基づき当該端末識別情報に対応する中断ジョブを検出し、該中断ジョブの中断状態を解除するジョブ中断解除手段と、を備えるものである。
【００１６】
請求項２に記載の発明は、請求項１に記載の画像処理装置において、前記ジョブ中断手段は、実行中又は未実行のジョブがある状態で、前記端末識別情報取得手段により端末識別情報が取得されることに伴い、該ジョブの実行を中断状態に設定するものである。
【００１７】
請求項３に記載の発明は、請求項１又は２に記載の画像処理装置において、前記ジョブ中断解除手段は、前記中断ジョブ管理テーブルに中断ジョブが登録されている状態で、前記端末識別情報取得手段により端末識別情報が取得されることに伴い、該中断ジョブの中断状態を解除するものである。
【００１８】
請求項４に記載の発明は、請求項１乃至３の何れか一項に記載の画像処理装置において、実行中又は未実行のジョブのジョブ識別情報と該ジョブを入力したユーザのユーザ識別情報とを対応付けた待機ジョブ管理テーブルを記憶する待機ジョブ管理テーブル記憶手段をさらに備え、前記ジョブ中断手段は、前記端末識別情報取得手段で端末識別情報が取得されると、該端末識別情報に予め対応付けられたユーザ識別情報を検出するとともに、該ユーザ識別情報に対応するジョブ識別情報を前記待機ジョブ管理テーブルに基づき検出し、当該ジョブ識別情報に係るジョブを中断状態に設定するものである。
【００１９】
請求項５に記載の発明は、請求項１乃至４の何れか一項に記載の画像処理装置において、前記端末識別情報取得手段により端末識別情報が取得されることに伴い、前記中断状態の設定又は前記中断状態の解除の選択を受け付ける選択受付手段をさらに備え、前記ジョブ中断手段は、前記選択受付手段によって前記中断状態の設定が受け付けられた場合に機能し、前記ジョブ中断解除手段は、前記選択受付手段によって前記中断状態の解除が受け付けられた場合に機能するものである。
【００２０】
請求項６に記載の発明は、請求項１乃至５の何れか一項に記載の画像処理装置において、前記ジョブ中断解除手段は、中断ジョブを検出すると、該中断ジョブに対する中断解除に関する選択を受け付け、中断解除の選択を受け付けた場合に当該中断ジョブの中断状態を解除するものである。
【００２１】
請求項７に記載の発明は、請求項６に記載の画像処理装置において、前記ジョブ中断解除手段は、複数の中断ジョブを検出したとき、中断ジョブごとに中断解除に関する選択を受け付けるものである。
【００２２】
請求項８に記載の発明は、請求項１乃至７の何れか一項に記載の画像処理装置において、前記ジョブ中断手段により実行中のジョブが中断されることに伴い、当該中断ジョブに係る未処理データに端末識別情報を付加する端末識別情報付加手段をさらに備え、前記ジョブ中断解除手段は、実行中であった中断ジョブの中断状態解除に伴い、当該端末識別情報に基づいて未処理データを取得し、該未処理データに基づき当該中断ジョブの実行を途中から再開させるものである。
【００２３】
請求項９に記載の発明は、請求項８に記載の画像処理装置において、前記端末識別情報付加手段により端末識別情報が付加された未処理データを記憶する未処理データ記憶手段をさらに備え、前記ジョブ中断解除手段は、実行中であった中断ジョブの中断状態解除に伴い、当該中断ジョブに対応する未処理データを前記未処理データ記憶手段から読み出して取得するものである。
【００２４】
請求項１０に記載の発明は、請求項８に記載の画像処理装置において、前記ジョブ中断手段により実行中のジョブが中断された場合、当該中断ジョブに係る未処理データと付加された端末識別情報とを外部サーバに送信する未処理データ送信手段をさらに備え、前記ジョブ中断解除手段は、実行中であった中断ジョブの中断状態解除に伴い、当該中断ジョブ対応する未処理データを前記外部サーバから取得するものである。
【００２５】
請求項１１に記載の発明は、請求項１乃至１０の何れか一項に記載の画像処理装置において、前記中断ジョブ管理テーブル生成手段により生成された中断ジョブ管理テーブルを携帯情報端末に送信するテーブル送信手段と、携帯情報端末から送信される中断ジョブ管理テーブルを受信するテーブル受信手段と、をさらに備え、前記中断ジョブ検出手段は、前記端末識別情報取得手段によって端末識別情報が取得されることに伴い、前記テーブル受信手段が当該携帯情報端末から受信する前記中断ジョブ管理テーブルに基づき中断ジョブの検出を行うものである。
【００２６】
請求項１２に記載の発明は、請求項１乃至１１の何れか一項に記載の画像処理装置において、携帯情報端末が当該画像処理装置に対して前記中断状態の解除要求を行うためのプログラムを生成するプログラム生成手段と、前記プログラム生成手段により生成されたプログラムを携帯情報端末に送信するプログラム送信手段と、携帯情報端末において前記プログラムが起動されることに伴い該携帯情報端末から送信される前記解除要求を受信する解除要求受信手段とをさらに備え、前記ジョブ中断解除手段は、前記解除要求受信手段で受信された解除要求に基づき、前記中断ジョブの中断状態を解除するものである。
【００２７】
請求項１３に記載の発明は、請求項１２に記載の画像処理装置において、携帯情報端末から送信される解除要求に基づいて中断ジョブの中断状態が解除されることに伴い、当該携帯情報端末に対して前記プログラムの削除を要求するプログラム削除要求手段をさらに備えるものである。
【００２８】
請求項１４に記載の発明は、請求項１３に記載の画像処理装置において、前記プログラム削除要求手段による前記プログラムの削除要求に伴って携帯情報端末から送信される削除完了通知を受信する通知受信手段と、前記通知受信手段で前記削除完了通知が受信されると、当該ジョブの実行完了後に該ジョブに係る処理データを削除する処理データ削除手段とを備えるものである。
【００２９】
請求項１５に記載の発明は、ジョブを実行する画像処理装置を通信相手として検知する通信相手検出手段と、自機の端末識別情報を記憶する端末識別情報記憶手段と、前記通信相手検出手段が前記画像処理装置を通信相手として検出することに伴い、前記端末識別情報記憶手段に記憶されている前記端末識別情報を読み出して前記画像処理装置へ送信することにより、前記画像処理装置において実行中又は未実行のジョブを中断状態に設定すると共に、中断ジョブの中断状態を解除するジョブ制御手段と、を備える携帯情報端末である。
【００３０】
請求項１６に記載の発明は、携帯情報端末と通信可能な画像処理装置を動作させるプログラムであって、前記画像処理装置を、前記携帯情報端末から端末識別情報を取得する端末識別情報取得手段、前記端末識別情報取得手段による前記端末識別情報の取得を条件として、実行中又は未実行のジョブの実行を中断状態に設定するジョブ中断手段、前記ジョブ中断手段により中断状態に設定された中断ジョブのジョブ識別情報と前記端末識別情報取得手段で取得された端末識別情報とを対応付けた中断ジョブ管理テーブルを生成する中断ジョブ管理テーブル生成手段、及び、前記端末識別情報取得手段による前記端末識別情報の取得を条件として、前記中断ジョブ管理テーブルに基づき当該端末識別情報に対応する中断ジョブを検出し、該中断ジョブの中断状態を解除するジョブ中断解除手段、として機能させるためのプログラムである。
【００３１】
請求項１７に記載の発明は、自機の端末識別情報を所定の記憶手段に記憶した携帯情報端末において実行されるプログラムであって、前記携帯情報端末を、ジョブを実行する画像処理装置を通信相手として検知する通信相手検出手段、及び、前記通信相手検出手段が前記画像処理装置を通信相手として検出することに伴い、前記記憶手段に記憶されている前記端末識別情報を読み出して前記画像処理装置へ送信することにより、前記画像処理装置において実行中又は未実行のジョブを中断状態に設定すると共に、中断ジョブの中断状態を解除するジョブ制御手段、として機能させるプログラムである。
【００３２】
請求項１８に記載の発明は、携帯情報端末と通信可能な画像処理装置のジョブ制御方法であって、端末識別情報取得手段が、前記携帯情報端末から端末識別情報を取得する端末識別情報取得ステップと、ジョブ中断手段が、前記端末識別情報取得手段による前記端末識別情報の取得を条件として、実行中又は未実行のジョブの実行を中断状態に設定する中断状態設定ステップと、前記ジョブ中断手段により中断状態に設定された中断ジョブのジョブ識別情報と前記端末識別情報取得手段で取得された端末識別情報とを対応付けた中断ジョブ管理テーブルを生成する中断ジョブ管理テーブル生成ステップと、ジョブ中断解除手段が、前記端末識別情報取得手段による前記端末識別情報の取得を条件として、前記中断ジョブ管理テーブルに基づき当該端末識別情報に対応する中断ジョブを検出し、該中断ジョブの中断状態を解除するジョブ中断解除ステップと、を備えるジョブ制御方法である。
【発明の効果】
【００３３】
本発明によれば、携帯情報端末から画像形成装置に端末識別情報を提供させる操作を行うことで、実行中又は未実行のジョブの実行を中断状態に設定したり、該中断ジョブの中断状態を解除したりすることが可能となる。よって、携帯情報端末を用いてジョブの中断・解除を行わせることができるため、ジョブの中断・再開を行う際の操作性が改善され利便性を向上させることができる。
【図面の簡単な説明】
【００３４】
【図１】ジョブ制御システムの第１の実施形態の構成を示す概念図である。
【図２】第１の実施形態に係る画像処理装置２の構成を示す図である。
【図３】（ａ）は、ジョブ−ユーザテーブルＴ１、（ｂ）は、中断ジョブ管理テーブルＴ２を示す図である。
【図４】第１の実施形態に係る携帯情報端末３の構成を示す図である。
【図５】ジョブの実行の中断設定及び該中断状態の解除に関し、第１の実施形態において、画像処理装置２及び携帯情報端末３で行われる処理手順を示すフローチャートである。
【図６】ジョブの実行の中断設定及び該中断状態の解除に関し、第２の実施形態において、画像処理装置２及び携帯情報端末３で行われる処理手順を示すフローチャートである。
【図７】端末−ユーザテーブルＴ３を示す図である。
【図８】ジョブの実行の中断設定及び該中断状態の解除に関し、第３の実施形態において、画像処理装置２及び携帯情報端末３で行われる処理手順を示すフローチャートである。
【図９】ジョブの実行の中断設定及び該中断状態の解除に関し、第４の実施形態において、画像処理装置２及び携帯情報端末３で行われる処理手順を示すフローチャートである。
【図１０】第５の実施形態に係る画像処理装置２の構成を示す図である。
【図１１】選択受付画面Ｇ１を示す図である。
【図１２】ジョブの実行の中断設定及び該中断状態の解除に関し、第５の実施形態において、画像処理装置２及び携帯情報端末３で行われる処理手順を示すフローチャートである。
【図１３】（ａ）は、ジョブ中断選択画面Ｇ２、（ｂ）は、中断ジョブ解除選択画面Ｇ３を示す図である。
【図１４】ジョブの実行の中断設定及び該中断状態の解除に関し、第６実施形態において、画像処理装置２及び携帯情報端末３で行われる処理手順を示すフローチャートである。
【図１５】第７の実施形態に係る画像処理装置２の構成を示す図である。
【図１６】端末ＩＤを未処理データに付加した状態を示す図である。
【図１７】第７の実施形態において、画像処理装置２及び携帯情報端末３で行われる処理手順を示すフローチャートである。
【図１８】第８の実施形態に係るジョブ制御システム１の構成を示す概念図である。
【図１９】第８の実施形態に係る画像処理装置２の構成を示す図である。
【図２０】第８の実施形態に係る携帯情報端末３の構成を示す図である。
【図２１】第８の実施形態において、画像処理装置２及び携帯情報端末３で行われる処理手順を示すフローチャートである。
【図２２】第９の実施形態に係る画像処理装置２の構成を示す図である。
【図２３】第９の実施形態に係る携帯情報端末３の構成を示す図である。
【図２４】第９の実施形態において、画像処理装置２及び携帯情報端末３で行われる処理手順を示すフローチャートである。
【図２５】ジョブ制御システム１の他の構成を示す概念図である。
【図２６】第１０の実施形態に係る画像処理装置２の構成を示す図である。
【図２７】第１０の実施形態に係る携帯情報端末３の構成を示す図である。
【図２８】ジョブ中断解除プログラムの内容を図柄で記号化したアイコンＷが表示された、携帯情報端末３の表示部２４の表示画面を示す図である。
【図２９】第１０の実施形態において、画像処理装置２及び携帯情報端末３で行われる処理手順を示すフローチャートである。
【発明を実施するための形態】
【００３５】
以下、本発明に関する好ましい実施形態について図面を参照しつつ詳細に説明する。なお、以下に説明する実施形態において互いに共通する部材には同一符号を付しており、それらについての重複する説明は省略する。
【００３６】
（第１の実施形態）
図１は、ジョブ制御システム１の第１の実施形態の構成を示す概念図である。図１に示すジョブ制御システム１は、ＭＦＰなどで構成される画像処理装置２と、ユーザが普段携帯して使用している携帯情報端末３とを備えて構成されている。本実施形態では、画像処理装置２と携帯情報端末３のそれぞれがネットワークを介して他の通信機器にアクセスすることが可能となっている。ネットワークは、ＬＡＮやＷＡＮ、或いは公衆電話網やインターネット網などを含むネットワークである。
【００３７】
画像処理装置２は、ネットワークを介してデータ通信を行う機能を有する他、スキャン機能、プリント機能及びＢＯＸ機能などの複数の機能を備えている。スキャン機能は、画像処理装置２の例えば装置本体上部に設けられた画像読取部６を駆動して原稿の読み取り動作を行い、その読取動作で得られた画像ファイルを生成する機能である。プリント機能は、画像処理装置２の例えば装置本体中央部に設けられた画像形成部７を駆動して印刷出力を行う機能である。ＢＯＸ機能は、後述する記憶領域（フォルダ）に各種データを記憶しておく機能であり、例えばスキャン機能により得られたスキャン画像ファイルを記憶したり、ネットワークを介して受信した受信データを記憶したりする。
【００３８】
これらのスキャン機能、プリント機能及びＢＯＸ機能は、ネットワークを介して行うデータ通信機能と連動することも可能である。例えば、スキャン機能の場合は、原稿を読み取って生成したスキャン画像ファイルをデータ通信機能によって外部に送信することが可能である。また、プリント機能の場合は、データ通信機能によって外部から取得される画像ファイルに基づき印刷出力を行うことが可能である。このような画像処理装置２は、例えばオフィスなどに設置される場合、複数のユーザによって共有して利用され得る。
【００３９】
また、画像処理装置２は、例えば装置本体の正面側に、ユーザが画像処理装置２を操作する際のユーザインタフェースとなる操作パネル８を備えている。画像処理装置２は、この操作パネル８に対して行われるユーザの指示入力操作に基づき、上述した複数の機能のうちの少なくとも１つを動作させ、ユーザによって指定されたジョブを実行する。
【００４０】
さらに、画像処理装置２は、ＮＦＣ（Near Field Communication）などにより所定距離の範囲内にある特定のデバイスとの間で近距離無線通信を行う機能を備えている。この近距離無線通信機能により、画像処理装置２は、画像処理装置２を使用しようとしているユーザが所持する携帯情報端末３との間で通信を行うことができる構成となっている。
【００４１】
携帯情報端末３は、タブレット端末やスマートフォンなどで構成される可搬型の情報端末装置であり、通常、一人のユーザによって占有される装置である。この携帯情報端末３は、ネットワークを介して他の機器とデータ通信を行う機能（以下、ネットワーク通信機能という）と、画像処理装置２が携帯情報端末３から所定距離の範囲内にある場合に、画像処理装置２との間で近距離無線通信を行う機能（近距離無線通信機能）との２つの無線による通信機能を有している。なお、以下の説明においては、前記所定距離として例えば１０ｃｍ程度の短い距離を想定する。また、携帯情報端末３をその距離の範囲内に位置させるためにユーザによって行われる操作（動作）を、携帯情報端末３を画像処理装置２にかざすという。
【００４２】
本実施形態に係るジョブ制御システム１においては、この近距離無線通信機能を利用することで、ユーザが携帯情報端末３を用いて画像処理装置２によるジョブの実行を中断させたりその中断を解除させたりすることができるように構成されている。以下、このように構成されたジョブ制御システム１の画像処理装置２及び携帯情報端末３について説明する。
【００４３】
図２は、本実施形態に係る画像処理装置２の構成を示す図である。図２に示す画像処理装置２は、上述した画像読取部６及び画像形成部７の他に、操作パネル８と、ネットワーク通信インターフェース（Ｉ／Ｆ）部９と、近距離無線通信Ｉ／Ｆ部１０と、記憶部１１と、制御部１２とを備えて構成される。
【００４４】
操作パネル８は、表示部１３及び操作部１４を備える。表示部１３は、例えばカラー液晶ディスプレイなどで構成され、画像処理装置２のユーザに対し、種々の操作指令を入力するための操作キーを含む各種操作画面や画像ファイルに基づく印刷の結果を予め示したプレビューなどの各種情報を表示する。操作部１４は、各種の機械的な操作キーや表示部１３の表示画面上に配置されるタッチパネルセンサーなどで構成され、画像処理装置２のユーザから操作入力を受け付ける。機械的な操作キーとしては、例えば、スキャン機能やプリント機能等の実行開始指示を入力するためのスタートキーや、印刷枚数等の実行条件を入力するためのテンキー等がある。
【００４５】
ネットワーク通信Ｉ／Ｆ部９は、制御部１２がネットワークを介してデータ通信を行う場合にその通信制御を行う処理部である。画像処理装置２がネットワークを介して他の通信機器に接続する場合、このネットワーク通信Ｉ／Ｆ部９を介してデータの送受信が行われる。
【００４６】
近距離無線通信Ｉ／Ｆ部１０は、制御部１２が携帯情報端末３との間で近距離無線通信を行う場合にその通信制御を行う処理部である。この近距離無線通信Ｉ／Ｆ部１０は、携帯情報端末３との間で近距離無線通信を行うことができる状態になると、それを自動検知し、制御部１２に通知する。
【００４７】
記憶部１１は、ハードディスクドライブ（ＨＤＤ）などで構成される不揮発性の記憶装置である。記憶部１１には、各種のアプリケーション１５を記憶する記憶領域や、文書ファイル１６などを記憶する記憶領域が設けられている。また、記憶部１１には、各種のテーブル１７を記憶する記憶領域も設けられている。この記憶領域に記憶されるテーブル１７の一つとして、ジョブの実行指示を入力したユーザを識別するためのユーザＩＤ（ユーザ識別情報）と、そのジョブを識別するためのジョブＩＤ（ジョブ識別情報）とを対応付けたジョブ−ユーザテーブルＴ１（図３（ａ）参照；待機ジョブ管理テーブルに相当）がある。ユーザＩＤは、例えば、ユーザがジョブの実行指示を入力する際に、該ユーザによって画像処理装置２に入力される一方、ジョブＩＤは、その入力時に、画像処理装置２によって自動的にジョブに付与される。記憶部１１のテーブル記憶領域に格納され得るテーブル１７の他の例として、後述する中断ジョブ管理テーブルＴ２（図３（ｂ）参照）もある。
【００４８】
制御部１２は、図示しないＣＰＵやメモリを備えて構成されている。ＣＰＵは、記憶部１１に記憶されている各種アプリケーション１５を実行するものである。メモリは、ＣＰＵがアプリケーション１５を実行することに伴って発生する一時的なデータなどを記憶するためのものである。そして、ＣＰＵがアプリケーション１５を実行することにより、制御部１２は、接続検知部１８、情報通信部１９、ジョブ制御部２０及びテーブル処理部２１として機能する。
【００４９】
接続検知部１８は、画像処理装置２に電源が投入されている間、制御部１２に常駐する。そして、接続検知部１８は、近距離無線通信Ｉ／Ｆ部１０を介して携帯情報端末３との近距離無線通信が可能な接続状態となったことを検知する。情報通信部１９は、接続検知部１８によって携帯情報端末３との接続状態が検知されると機能する。
【００５０】
情報通信部１９は、携帯情報端末３との間で近距離無線通信により各種情報を送受信する処理部である。上述したように、携帯情報端末３は、画像処理装置２との間での近距離無線通信が可能になると、各種情報を画像処理装置２に送信する。本実施形態では、携帯情報端末３から送信される情報として、当該携帯情報端末３を識別するための端末ＩＤ（端末識別情報）があり、情報通信部１９は、この端末ＩＤを受信する端末識別情報取得手段としての機能を有する。
【００５１】
ジョブ制御部２０は、操作パネル８に対して行われるユーザの指示操作や携帯情報端末３から受信する情報に基づき、ユーザによって指定されたジョブの実行を制御する処理部である。ジョブ制御部２０は、画像読取部６に原稿の読み取り動作を行わせて画像ファイルを取得したり、画像形成部７に画像データを出力して印刷出力を行わせたりする。また、ジョブ制御部２０は、記憶部１１に対して文書ファイルなどを格納したり、又は、記憶部１１に格納されている文書ファイルを読み出したりする。さらに、このジョブ制御部２０は、画像データなどのデータをネットワーク経由で外部の装置に送信したり、或いは、画像データなどのデータをネットワーク経由で外部の装置から取得したりすることも可能である。
【００５２】
以上の機能に加え、ジョブ制御部２０は、情報通信部１９による端末ＩＤの取得を条件として、実行中のジョブ又は未実行のジョブの実行を中断状態に設定するジョブ中断部としての機能を有する。未実行のジョブとは、まだジョブの実行が開始されずに待機しているジョブであり、例えば時刻指定により実行予約されているジョブなどが含まれる。また、ジョブ制御部２０は、情報通信部１９による端末ＩＤの取得を条件として、後述する中断ジョブ管理テーブルＴ２に基づいてその端末ＩＤに対応する中断ジョブを検出し、該中断ジョブの中断状態を解除するジョブ中断解除部としての機能も有している。
【００５３】
ここで、ジョブ中断部及びジョブ中断解除部は、いずれも端末ＩＤの取得を条件として機能するものであるところ、本実施形態では、ジョブ中断部がジョブ中断解除部より優先して機能する。すなわち、ジョブ中断部は、実行中又は未実行のジョブがある状態で情報通信部１９により端末ＩＤが取得された場合に機能し、ジョブ中断解除部は、実行中又は未実行のジョブが無い場合に機能し得るようになっている。
【００５４】
テーブル処理部２１は、記憶部１１に格納され得るテーブル１７に関する処理を行うものである。例えば、テーブル処理部２１は、ユーザによりジョブの実行指示が入力されると、図３（ａ）に示すように、そのジョブのジョブＩＤと該ユーザのユーザＩＤとを対応付けたジョブ−ユーザテーブルＴ１を生成する。そして、ジョブが完了すると、テーブル処理部２１は、そのジョブに対応するテーブルを削除する。
【００５５】
また、テーブル処理部２１は、ジョブ制御部２０によりジョブの実行が中断状態に設定されると、図３（ｂ）に示すように、その中断状態に設定された中断ジョブのジョブＩＤと情報通信部１９で取得された端末ＩＤとを対応付けた中断ジョブ管理テーブルＴ２を生成する。そして、ジョブ制御部２０により中断ジョブの中断状態が解除されると、テーブル処理部２１は、該中断ジョブに係る中断ジョブ管理テーブルＴ２を削除する。
【００５６】
中断ジョブ管理テーブルＴ２は、携帯情報端末３の端末ＩＤが取得されたときに、中断状態に設定されたジョブを特定するためのテーブルであり、端末ＩＤとそのジョブに関するジョブ情報とが対応付けられている。そのジョブ情報として、「ジョブＩＤ」、「ジョブ種別」、「ステータス」、「ファイル名」、「受信元」、「送信先」及び「再開動作」が設定されている。「ステータス」とは、中断状態に設定される直前の当該ジョブの状態（実行中又は待機中）である。「ファイル名」とは、当該ジョブに係るデータのファイル名を示す。「受信元」とは、当該ジョブに係るデータを画像処理装置２に送信してきた機器を示す。「送信先」とは、当該ジョブがスキャンである場合に、該スキャンによって得られたデータの送信先を示す。「再開動作」とは、中断したジョブを再開する場合に、何ページ目から再開すべきであるかを示す。本実施形態における画像処理装置２は、ジョブが中断されると、該ジョブに係るデータ（処理済みのデータも含む）をすべて記憶部１１に格納する。そして、中断したジョブを再開するときには、中断ジョブ管理テーブルＴ２における「再開動作」の内容に基づき、記憶部１１に格納されている当該ジョブのデータから再開時に用いるデータ（未処理データ）を抽出し、この抽出した未処理データに基づいてジョブの再開動作を行う。これにより、実行途中で中断されたジョブを最初からやり直す構成に比して、速やかにジョブを完了することができる。また、ジョブがプリントの場合には、無駄な出力紙が生じるのを回避することもできる。
【００５７】
携帯情報端末３について説明する。図４は、本実施形態に係る携帯情報端末３の構成を示す図である。図４に示す携帯情報端末３は、ネットワーク通信Ｉ／Ｆ部２２と、近距離無線通信Ｉ／Ｆ部２３と、表示部２４と、操作部２５と、記憶部２６と、制御部２７とを備えている。なお、携帯情報端末３がスマートフォンなどで構成される場合には、この他にも電話通話を行うためのマイクやスピーカなどが設けられる。
【００５８】
ネットワーク通信Ｉ／Ｆ部２２は、制御部２７がネットワークを介してデータ通信を行う場合にその通信制御を行う処理部である。また、近距離無線通信Ｉ／Ｆ部２３は、制御部２７が画像処理装置２との間で近距離無線通信を行う場合にその通信制御を行う処理部である。この近距離無線通信Ｉ／Ｆ部２３は、画像処理装置２との間で近距離無線通信を行うことができる状態になると、それを自動検知し、制御部２７に通知する。
【００５９】
表示部２４は、例えばカラー液晶ディスプレイなどで構成され、携帯情報端末３のユーザに対して各種情報を表示する。操作部２５は、例えば表示部２４の画面上に配置されるタッチパネルセンサーなどで構成され、携帯情報端末３のユーザから操作入力を受け付ける。
【００６０】
記憶部２６は、ソリッドステートドライブ（ＳＳＤ）などで構成される不揮発性の記憶手段である。この記憶部２６には、制御部２７の図示しないＣＰＵによって実行されるアプリケーションとして、携帯情報端末３の基本アプリケーションであるオペレーティングシステムが予め記憶されているとともに、ユーザが利用する複数のアプリケーションプログラムが記憶され得る。また、本実施形態の記憶部２６は、当該携帯情報端末３に対して付与されたユニークな端末ＩＤを予め記憶している。
【００６１】
制御部２７は、画像処理装置２と同様の図示しないＣＰＵやメモリを備えて構成されている。ＣＰＵが所定のアプリケーションを実行することにより、制御部２７は、接続検知部２８及び端末ＩＤ送信部２９として機能する。
【００６２】
接続検知部２８は、近距離無線通信Ｉ／Ｆ部２３を介して画像処理装置２との近距離無線通信が可能な接続状態であることを検知するものである。上述したように、近距離無線通信Ｉ／Ｆ部２３は、携帯情報端末３と画像処理装置２との間で近距離無線通信を行うことができる状態になると、それを自動検知し、制御部２７に通知する。接続検知部２８は、この通知を受けることにより、画像処理装置２との近距離無線通信が可能な接続状態であることを検知する。
【００６３】
端末ＩＤ送信部２９は、端末ＩＤを画像処理装置２へ送信することにより、画像処理装置２におけるジョブの中断又は再開を制御するジョブ制御手段として機能する。この端末ＩＤ送信部２９は、接続検知部２８が画像処理装置２との接続状態を検知した後、画像処理装置２からの要求に応じて、記憶部２６から端末ＩＤを読み出し、該端末ＩＤを画像処理装置２に送信するものである。
【００６４】
次に、ジョブの実行の中断設定及び該中断状態の解除に関し、第１の実施形態において、画像処理装置２及び携帯情報端末３で行われる処理手順について説明する。図５（ａ），（ｂ）は、該処理手順を示すフローチャートである。
【００６５】
図５（ａ），（ｂ）に示すように、画像処理装置２において、接続検知部１８は、携帯情報端末３との近距離無線通信が可能な状態になったか否かを常時監視している。そして、接続検知部１８が携帯情報端末３との近距離無線通信が可能になったことを検知すると（ステップＳ１でＹＥＳ）、情報通信部１９が携帯情報端末３に端末ＩＤを要求する（ステップＳ２）。
【００６６】
携帯情報端末３において、接続検知部２８は、画像処理装置２との近距離無線通信が可能な状態になったか否かを常時監視している。そして、接続検知部２８が画像処理装置２との近距離無線通信が可能になったことを検知すると（ステップＳ３でＹＥＳ）、端末ＩＤ送信部２９は、画像処理装置２から端末ＩＤの要求があったか否かを判断する（ステップＳ４）。端末ＩＤ送信部２９は、その要求があったと判断すると（ステップＳ４でＹＥＳ）、記憶部２６から自機の端末ＩＤを読み出し、近距離無線通信を介して端末ＩＤを画像処理装置２に送信する（ステップＳ５）。
【００６７】
画像処理装置２において、情報通信部１９が携帯情報端末３から端末ＩＤを受信すると（ステップＳ６でＹＥＳ）、ジョブ制御部２０が、実行中又は未実行のジョブがあるか否かを判断する（ステップＳ７）。ジョブ制御部２０は、実行中又は未実行のジョブがあると判断すると（ステップＳ７でＹＥＳ）、該ジョブの実行を中断状態に設定する（ステップＳ８）。すなわち、ジョブ制御部２０は、実行中のジョブがある場合には、そのジョブの実行を中断させて、そのジョブについての中断ジョブ管理テーブルＴ２の生成をテーブル処理部２１に指示する。また、予約ジョブなどの待機中のジョブがある場合には、ジョブ制御部２０は、そのジョブについての中断ジョブ管理テーブルＴ２の生成をテーブル処理部２１に指示する。そして、テーブル処理部２１は、ジョブ制御部２０の指示に基づき、中断状態に設定されたジョブについての中断ジョブ管理テーブルＴ２を生成して記憶部１１に格納する（ステップＳ９）。
【００６８】
一方、ステップＳ７において、ジョブ制御部２０は、実行中又は未実行のジョブが無いと判断すると（ステップＳ７でＮＯ）、中断状態に設定されているジョブがあるか否か（記憶部１１に中断ジョブ管理テーブルＴ２が格納されているか否か）を判断する（ステップＳ１０）。ジョブ制御部２０は、中断状態に設定されているジョブがあると判断すると（ステップＳ１０でＹＥＳ）、ジョブの中断状態を解除する（ステップＳ１１）。すなわち、ジョブ制御部２０は、中断ジョブ管理テーブルＴ２においてステータスが実行中となっているジョブ（中断設定時に実行中であったジョブ）については、テーブル処理部２１に対しそのジョブに係る中断ジョブ管理テーブルＴ２の削除を指示するとともに、該ジョブの実行を再開させる。また、ジョブ制御部２０は、中断ジョブ管理テーブルＴ２においてステータスが待機中となっているジョブについては、テーブル処理部２１に対しそのジョブに係る中断ジョブ管理テーブルＴ２の削除を指示する。そして、テーブル処理部２１は、ジョブ制御部２０の指示に基づき、中断ジョブ管理テーブルＴ２を削除する（ステップＳ１２）。なお、ジョブ制御部２０は、記憶部１１に中断ジョブ管理テーブルＴ２が格納されていないと判断すると（ステップＳ１０でＮＯ）、ジョブ制御部２０及びテーブル処理部２１は、ステップＳ１１，Ｓ１２の処理を行うことなく処理を終了する。
【００６９】
このように、本実施形態に係るジョブ制御システム１においては、実行中又は未実行のジョブがある状態で画像処理装置２が端末ＩＤを取得した場合には、実行中のジョブ又は未実行のジョブの実行を中断状態に設定する。一方、実行中又は未実行のジョブが無く、且つ、取得した端末ＩＤに対応する中断ジョブがある状態で画像処理装置２が端末ＩＤを取得した場合には、中断ジョブの中断状態を解除する。
【００７０】
これにより、ユーザは、携帯情報端末３を画像処理装置２にかざすことで、実行中又は待機中のジョブの実行を中断させたり、中断状態に設定されているジョブの中断状態を解除して、実行中であったジョブについては実行を再開させたり、待機中のジョブについては、順番がきたときに或いは予定時刻が経過したと判断されるタイミングで実行される状態に復帰させたりすることができる。このように、携帯情報端末３でジョブの中断・解除を行わせることができるため、ジョブの中断・再開に関してユーザの操作性を向上させることができる。
【００７１】
（第２の実施形態）
第１の実施形態では、実行中又は未実行のジョブがある場合は中断設定を行い、実行中又は未実行のジョブが無い場合に中断解除を行うようにすることから、中断設定を中断解除より優先して行うものである。これに対し、本実施形態は、中断解除を中断設定より優先して行うようにするものである。以下、本実施形態について説明する。なお、本実施形態は、中断設定及び中断解除の手順が異なるのみで、図１〜図４に示す構成は第１の実施形態と共通するものであるから、第１の実施形態との相違点についてのみ説明する。
【００７２】
図６（ａ），（ｂ）は、ジョブの実行の中断設定及び該中断状態の解除に関し、第２の実施形態において、画像処理装置２及び携帯情報端末３で行われる処理手順を示すフローチャートである。
【００７３】
図６（ａ），（ｂ）に示すように、画像処理装置２及び携帯情報端末３において、図５のフローチャートにおけるステップＳ１〜Ｓ６と同様の処理を行う（ステップＳ２１〜Ｓ２６）。
【００７４】
情報通信部１９が携帯情報端末３から端末ＩＤを受信すると（ステップＳ２６でＹＥＳ）、ジョブ制御部２０は、中断状態に設定されているジョブがあるか否か（記憶部１１に中断ジョブ管理テーブルＴ２が格納されているか否か）を判断する（ステップＳ２７）。その結果、ジョブ制御部２０は、中断状態に設定されているジョブがあると判断すると（ステップＳ２７でＹＥＳ）、その中断ジョブ管理テーブルＴ２に係るジョブの中断状態を解除する（ステップＳ２８）。そして、テーブル処理部２１は、ジョブ制御部２０の指示に基づき、中断ジョブ管理テーブルＴ２を削除する（ステップＳ２９）。
【００７５】
一方、ステップＳ２７において、ジョブ制御部２０は、中断状態に設定されているジョブがないと判断すると（ステップＳ２７でＮＯ）、実行中又は未実行のジョブがあるか否かを判断する（ステップＳ３０）。ジョブ制御部２０は、実行中又は未実行のジョブがあると判断すると（ステップＳ３０でＹＥＳ）、該ジョブの実行を中断状態に設定する（ステップＳ３１）。そして、テーブル処理部２１は、ジョブ制御部２０の指示に基づき、該ジョブについての中断ジョブ管理テーブルＴ２を生成して記憶部１１に格納する（ステップＳ３２）。
【００７６】
このように、本実施形態に係るジョブ制御システム１においては、取得した端末ＩＤに対応する中断ジョブがある状態で画像処理装置２が端末ＩＤを取得した場合には、中断ジョブの中断状態を解除する。一方、取得した端末ＩＤに対応する中断ジョブが無く、実行中又は未実行のジョブがある状態で画像処理装置２が端末ＩＤを取得した場合には、実行中のジョブ又は未実行のジョブの実行を中断状態に設定する。このような構成によっても、第１の実施形態と同様の作用効果が得られる。
【００７７】
（第３の実施形態）
第１及び第２の実施形態においては、実行中又は実行予定のジョブがあれば、そのジョブが、携帯情報端末３を画像処理装置２にかざしたユーザと異なるユーザが実行指示を行ったジョブであっても中断状態に設定される。これに対し、本実施形態では、携帯情報端末３を画像処理装置２にかざしたユーザが指示したジョブに限定して中断状態の設定や中断解除を行うようにする点に特徴を有している。以下、この特徴点を第１の実施形態に追加した実施形態を第３の実施形態として説明する。
【００７８】
第３の実施形態に係るジョブ制御システム１においては、図７に示すように、端末ＩＤとユーザＩＤとを対応付けた端末−ユーザテーブルＴ３が予め生成される。端末−ユーザテーブルＴ３は、携帯情報端末３で本ジョブ制御システム１を利用するべく、ユーザが画像処理装置２又は携帯情報端末３で所定の設定を行う際に、ユーザが端末ＩＤ及びユーザＩＤを画像処理装置２に登録したときに生成される。この端末−ユーザテーブルＴ３を用いることで、携帯情報端末３から取得した端末ＩＤが、どのユーザの携帯情報端末３に対応するものであるのかを特定することができる。なお、このような端末−ユーザテーブルＴ３は、例えば画像処理装置２の記憶部１１に予め格納したものであってもよいが、これに限られるものではなく、画像処理装置２が通信可能な他の機器に格納するようにしてもよい。
【００７９】
次に、ジョブの実行の中断設定及び該中断状態の解除に関し、第３の実施形態において、画像処理装置２及び携帯情報端末３で行われる処理手順について説明する。図８（ａ），（ｂ）は、該処理手順を示すフローチャートである。
【００８０】
図８（ａ），（ｂ）に示すように、画像処理装置２及び携帯情報端末３において、第１の実施形態に係る図５のフローチャートのステップＳ１〜Ｓ６と同様の処理を行う（ステップＳ４１〜Ｓ４６）。
【００８１】
そして、情報通信部１９は、携帯情報端末３から端末ＩＤを受信すると（ステップＳ４６でＹＥＳ）、ジョブ制御部２０は、実行中又は未実行のジョブがあるか否かを判断する（ステップＳ４７）。ジョブ制御部２０は、実行中又は未実行のジョブがあると判断すると（ステップＳ４７でＹＥＳ）、ステップＳ４６で受信した端末ＩＤに対応するユーザＩＤを、図７に示す端末−ユーザテーブルＴ３に基づいて検出し（ステップＳ４８）、ジョブ−ユーザテーブルＴ１に基づき、検出したユーザＩＤに対応するジョブＩＤを検出する（ステップＳ４９）。例えば受信した端末ＩＤが「００２」であった場合、ジョブ制御部２０は、端末−ユーザテーブルＴ３に基づいてユーザＩＤ「Ｂ」を検出し、ジョブ−ユーザテーブルＴ１に基づいてユーザＩＤ「Ｂ」に対応するジョブＩＤ「Ｙ」を検出する。そして、ジョブ制御部２０は、検出したジョブＩＤに対応するジョブの実行を中断状態に設定する（ステップＳ５０）。そして、テーブル処理部２１は、該ジョブについての中断ジョブ管理テーブルＴ２を生成して記憶部１１に格納する（ステップＳ５１）。
【００８２】
一方、ステップＳ４７において、ジョブ制御部２０は、実行中又は未実行のジョブが無いと判断すると（ステップＳ４７でＮＯ）、ステップＳ４６で受信した端末ＩＤに対応するユーザＩＤを、図７に示す端末−ユーザテーブルＴ３に基づいて検出し（ステップＳ５３）、ジョブ−ユーザテーブルＴ１に基づき、検出したユーザＩＤに対応するジョブＩＤを検出する（ステップＳ５４）。そして、ジョブ制御部２０は、そのジョブＩＤに係るジョブの中断状態を解除し（ステップＳ５５）、テーブル処理部２１は、ジョブ制御部２０の指示に基づき、中断ジョブ管理テーブルＴ２を削除する（ステップＳ５６）。
【００８３】
（第４の実施形態）
本実施形態では、第３の実施形態と同様、携帯情報端末３を画像処理装置２にかざしたユーザが指示したジョブに限定して中断状態の設定を行うようにする点に特徴を有している。以下、この特徴点を第２の実施形態に追加した実施形態を第４の実施形態として説明する。
【００８４】
ジョブの実行の中断設定及び該中断状態の解除に関し、第４の実施形態において、画像処理装置２及び携帯情報端末３で行われる処理手順について説明する。図９（ａ），（ｂ）は、該処理手順を示すフローチャートである。
【００８５】
図９（ａ），（ｂ）に示すように、画像処理装置２及び携帯情報端末３において、図６のフローチャートにおけるステップＳ２１〜Ｓ２７と同様の処理を行う（ステップＳ６１〜Ｓ６７）。
【００８６】
ステップＳ６７において、ジョブ制御部２０は、中断状態に設定されているジョブが有る（記憶部１１に中断ジョブ管理テーブルＴ２が格納されている）と判断すると（ステップＳ６７でＹＥＳ）、ステップＳ６６で受信した端末ＩＤに対応するユーザＩＤを、図７に示す端末−ユーザテーブルＴ３に基づいて検出する（ステップＳ６８）。また、ジョブ制御部２０は、検出したユーザＩＤに対応するジョブＩＤを、ジョブ−ユーザテーブルＴ１に基づいて検出する（ステップＳ６９）。そして、ジョブ制御部２０は、検出したジョブＩＤに対応する中断ジョブの中断状態を解除する（ステップＳ７０）。また、テーブル処理部２１は、該ジョブに係る中断ジョブ管理テーブルＴ２を記憶部１１から削除する（ステップＳ７１）。
【００８７】
一方、ステップＳ６７において、ジョブ制御部２０は、中断状態に設定されているジョブが無い（記憶部１１に中断ジョブ管理テーブルＴ２が格納されていない）と判断すると（ステップＳ６７でＮＯ）、実行中又は未実行のジョブがあるか否かを判断する（ステップＳ７２）。ジョブ制御部２０は、実行中又は未実行のジョブがあると判断すると（ステップＳ７２でＹＥＳ）、ステップＳ６６で受信した端末ＩＤに対応するユーザＩＤを、図７に示す端末−ユーザテーブルＴ３に基づいて検出する（ステップＳ７３）。また、ジョブ制御部２０は、検出したユーザＩＤに対応するジョブＩＤを、ジョブ−ユーザテーブルＴ１に基づいて検出する（ステップＳ７４）。そして、ジョブ制御部２０は、検出したジョブＩＤに対応するジョブの実行を中断状態に設定する（ステップＳ７５）。また、テーブル処理部２１は、該ジョブに係る中断ジョブ管理テーブルＴ２を生成して記憶部１１に格納する（ステップＳ７６）。
【００８８】
このように、第３及び第４の実施形態に係るジョブ制御システム１においては、ユーザが携帯情報端末３を画像処理装置２にかざすと、このユーザのジョブに限定して中断状態の設定や中断解除を行うようにするので、他のユーザのジョブまで中断させたり中断解除したりしてしまうのを回避することができる。
【００８９】
（第５の実施形態）
ジョブ制御システム１の第５の実施形態について説明する。第１〜第４の実施形態においては、ユーザが携帯情報端末３を画像処理装置２にかざすことで、画像処理装置２は、中断設定や中断解除を自動的に行うようにする。これに対し、第５の実施形態では、中断設定を行うのか中断解除を行うのかをユーザに選択させる点に特徴を有している。なお、第１の実施形態に係る中断及び解除の自動設定をユーザ選択に変更したものを第５の実施形態として以下説明するが、同様の変更を第２〜第４の実施形態に施すことも可能である。
【００９０】
図１０は、第５の実施形態に係る画像処理装置２の構成を示す図である。なお、携帯情報端末３の構成については、第１〜第４の実施形態（図４）と同様である。
【００９１】
本実施形態に係る画像処理装置２の制御部１２は、第１〜第４の実施形態に係る制御部１２の機能に加えて、選択受付部３１としての機能も有している。また、それに伴いジョブ制御部２０の処理内容が第１〜第４の実施形態のものと一部異なっている。以下、この点について説明し、それ以外の構成については、第１〜第４の実施形態と同様であるのでその説明は省略する。
【００９２】
選択受付部３１は、携帯情報端末３から端末ＩＤを受信することに伴って、中断設定又は中断解除の選択を受け付けるものである。具体的には、選択受付部３１は、例えば図１１に示すような選択受付画面Ｇ１を操作パネル８の表示部１３に表示させる。選択受付画面Ｇ１は、中断設定を行う指示を入力するための中断ボタンＢ１と、中断解除を行う指示を入力するための中断解除ボタンＢ２とを有する。選択受付部３１は、中断ボタンＢ１又は中断解除ボタンＢ２が操作されるとその操作を受け付けて、操作されたボタンをジョブ制御部２０に通知する。
【００９３】
ジョブ制御部２０は、中断ボタンＢ１が操作された旨の通知を選択受付部３１から受信した場合、実行中又は未実行のジョブの実行を中断状態に設定する。一方、ジョブ制御部２０は、中断解除ボタンＢ２が操作された旨の通知を選択受付部３１から受信した場合、中断ジョブの中断状態を解除する。
【００９４】
なお、ジョブ制御部２０は、携帯情報端末３から端末ＩＤを受信すると、実行中のジョブがある場合には、選択受付部３１による選択受付画面Ｇ１の表示に先立ち、そのジョブの実行を一時停止させる。この一時停止は、本発明において言う中断とは異なるものである。すなわち、ここで言う一時停止とは、中断設定若しくは中断解除に関し選択受付画面Ｇ１を介してユーザから指示があるまで、一時的に実行中のジョブを停止するものである。このような一時停止を行うのは、携帯情報端末３を画像処理装置２にかざした動作が実行中のジョブを中断させようとする意思に基づいて行われたものである場合に、その実行中のジョブが、中断ボタンＢ１が操作されるまで中断されずに継続されるという状態を回避するためである。
【００９５】
次に、ジョブの実行の中断設定及び該中断状態の解除に関し、第５の実施形態において、画像処理装置２及び携帯情報端末３で行われる処理手順について説明する。図１２（ａ），（ｂ）は、該処理手順を示すフローチャートである。
【００９６】
図１２（ａ），（ｂ）に示すように、画像処理装置２及び携帯情報端末３において、図５のフローチャートにおけるステップＳ１〜Ｓ６と同様の処理を行う（ステップＳ８１〜Ｓ８６）。
【００９７】
画像処理装置２において、情報通信部１９が携帯情報端末３から端末ＩＤを受信すると（ステップＳ８６でＹＥＳ）、ジョブ制御部２０は、現在ジョブの実行中であるか否かを判断する（ステップＳ８７）。ジョブ制御部２０は、現在ジョブの実行中であると判断すると（ステップＳ８７でＹＥＳ）、実行中のジョブの実行を一時停止させる（ステップＳ８８）一方、実行中のジョブは無いと判断すると（ステップＳ８７でＮＯ）、ステップＳ８８の処理をとばす。
【００９８】
次に、選択受付部３１は、選択受付画面Ｇ１を操作パネル８の表示部１３に表示させる（ステップＳ８９）。ジョブ制御部２０は、中断ボタンＢ１が操作された旨の通知を選択受付部３１から受信すると（ステップＳ９０でＹＥＳ）、実行中及び未実行のジョブを中断状態に設定する（ステップＳ９１）。また、テーブル処理部２１は、ジョブ制御部２０の指示に基づき、該ジョブについての中断ジョブ管理テーブルＴ２を生成して記憶部１１に格納する（ステップＳ９２）。
【００９９】
一方、ジョブ制御部２０は、中断解除ボタンＢ２が操作された旨の通知を選択受付部３１から受信すると（ステップＳ９０でＮＯ）、ステップＳ８６で受信した端末ＩＤに対応する中断ジョブがあるか否かを判断する（ステップＳ９３）。ジョブ制御部２０は、あると判断すると（ステップＳ９３でＹＥＳ）、その中断ジョブの中断状態を解除し（ステップＳ９４）、テーブル処理部２１は、ジョブ制御部２０の指示に基づき、該ジョブについての中断ジョブ管理テーブルＴ２を削除する（ステップＳ９５）。一方、ステップＳ９３において、ジョブ制御部２０は、無いと判断すると（ステップＳ９３でＮＯ）、ジョブ制御部２０及びテーブル処理部２１は、ステップＳ９４，Ｓ９５の処理をとばす。
【０１００】
ステップＳ９３又はＳ９５の処理後、ジョブ制御部２０は、実行中であったジョブを一時停止している状態であるか否かを判断し（ステップＳ９６）、そうである場合には（ステップＳ９６でＹＥＳ）、そのジョブを再開させる（ステップＳ９７）一方、そうでない場合には（ステップＳ９６でＮＯ）、ステップＳ９７の処理をとばして一連の処理を終了する。
【０１０１】
このように、本実施形態では、ユーザが携帯情報端末３を画像処理装置２にかざした場合に、中断設定を行うのか中断解除を行うのかをユーザに選択させるようにするので、中断設定及び中断解除に関し、確実に、ユーザが意図する動作を行うことができる。
【０１０２】
（第６の実施形態）
次に、ジョブ制御システム１の第６の実施形態について説明する。第５の実施形態では、ユーザが携帯情報端末３を画像処理装置２にかざした動作が、中断設定を要求するものであるのか、それとも、中断解除を要求するものであるのかをユーザに尋ね、ユーザからの指示に応じて中断設定又は中断解除を行うようにする。これに対し、第６の実施形態では、中断及び解除の対象ジョブをユーザに選択（手動設定）させる点に特徴を有している。なお、第１の実施形態に係る中断対象及び解除対象の自動設定を、本実施形態に係る手動設定に変更するものを第６の実施形態として以下説明するが、第２〜第４の実施形態にも同様の変更を施すことは可能である。また、本実施形態に係る中断及び解除の対象ジョブの手動設定と、第５の実施形態に係る中断及び解除の手動設定とを組み合わせることも可能である。
【０１０３】
本実施形態では、中断設定及び中断解除の手順が異なるのみで、図１〜図４に示す構成は第１の実施形態と共通するものであるから、第１の実施形態との相違点についてのみ説明する。
【０１０４】
本実施形態に係るジョブ制御部２０は、中断及び解除の対象ジョブについてユーザの選択を受け付ける処理を行う。具体的には、ジョブ制御部２０は、実行中又は未実行のジョブがある場合には、例えば図１３（ａ）に示すようなジョブ中断選択画面Ｇ２を操作パネル８の表示部１３に表示させる。ジョブ中断選択画面Ｇ２は、実行中又は未実行のジョブのジョブリストＬ１を有し、ジョブ制御部２０は、中断状態に設定するジョブの選択操作を受け付ける。ジョブリストＬ１は、記憶部１１に格納されているジョブ−ユーザテーブルＴ１に基づいて生成される。
【０１０５】
また、ジョブ制御部２０は、実行中又は未実行のジョブが無く、中断ジョブがある場合には、例えば図１３（ｂ）に示すような中断ジョブ解除選択画面Ｇ３を表示部１３に表示させる。中断ジョブ解除選択画面Ｇ３は、中断ジョブのジョブリストＬ２を有し、ジョブ制御部２０は、中断状態を解除する中断ジョブの選択操作を受け付ける。ジョブリストＬ２は、記憶部１１に格納されている中断ジョブ管理テーブルＴ２に基づいて生成される。
【０１０６】
次に、ジョブの実行の中断設定及び該中断状態の解除に関し、第６実施形態において、画像処理装置２及び携帯情報端末３で行われる処理手順について説明する。図１４（ａ），（ｂ）は、該処理手順を示すフローチャートである。
【０１０７】
図１４（ａ），（ｂ）に示すように、画像処理装置２及び携帯情報端末３において、図５のフローチャートにおけるステップＳ１〜Ｓ６と同様の処理を行う（ステップＳ１０１〜Ｓ１０６）。
【０１０８】
そして、情報通信部１９が携帯情報端末３から端末ＩＤを受信すると（ステップＳ１０６でＹＥＳ）、ジョブ制御部２０は、実行中又は未実行のジョブがあるか否かを判断する（ステップＳ１０７）。ジョブ制御部２０は、実行中又は未実行のジョブがあると判断すると（ステップＳ１０７でＹＥＳ）、図１３（ａ）に示すようなジョブ中断選択画面Ｇ２を表示部１３に表示させて、中断対象についてのユーザ選択を受け付ける（ステップＳ１０８）。そして、選択が完了すると（ステップＳ１０９でＹＥＳ）、ジョブ制御部２０は、選択されたジョブの実行を中断状態に設定する（ステップＳ１１０）。そして、テーブル処理部２１は、ジョブ制御部２０の指示に基づき、中断状態に設定されたジョブについての中断ジョブ管理テーブルＴ２を生成して記憶部１１に格納する（ステップＳ１１１）。
【０１０９】
一方、ステップＳ１０７において、ジョブ制御部２０は、実行中又は未実行のジョブが無いと判断すると（ステップＳ１０７でＮＯ）、中断状態に設定されているジョブがあるか否かを判断する（ステップＳ１１２）。ジョブ制御部２０は、あると判断すると（ステップＳ１１２でＹＥＳ）、図１３（ｂ）に示すような中断ジョブ解除選択画面Ｇ３を表示部１３に表示させて、中断解除対象についてのユーザ選択を受け付ける（ステップＳ１１３）。そして、選択が完了すると（ステップＳ１１４でＹＥＳ）、ジョブ制御部２０は、選択された中断ジョブの中断状態を解除する（ステップＳ１１５）。そして、テーブル処理部２１は、ジョブ制御部２０の指示に基づき、中断状態が解除されたジョブについての中断ジョブ管理テーブルＴ２を削除する（ステップＳ１１６）。なお、本実施形態においても、実行中のジョブがある場合は、第５の実施形態と同様、ジョブ中断選択画面Ｇ２や中断ジョブ解除選択画面Ｇ３の表示に先立って、その実行中のジョブの実行を一時停止させるのが好ましい。
【０１１０】
このように、本実施形態においては、中断及び解除の対象をユーザに選択（手動設定）させるようにするので、ユーザが意図するジョブについてのみ中断設定及び中断解除を行うことができる。
【０１１１】
（第７の実施形態）
ジョブ制御システム１の第７の実施形態について説明する。本実施形態は、実行中のジョブを中断した場合の該ジョブに係る未処理データをどのように取り扱うかを設定する実施形態である。本実施形態に係る技術は、第１〜第６の実施形態のいずれにも採用することが可能であるが、ここでは、第１の実施形態に採用するものを第７の実施形態として説明する。
【０１１２】
図１５は、第７の実施形態に係る画像処理装置２の構成を示す図である。図１５に示すように、本実施形態に係る画像処理装置２は、記憶部１１が、図２に示す第１の実施形態における記憶部１１の機能に加えて、未処理データ記憶手段としての機能を有している。また、制御部１２が、図２に示す第１の実施形態における制御部１２の機能に加えて、図１６に示すように未処理データに端末ＩＤを付加する端末ＩＤ付加部３２、及び、未処理データを記憶部１１に格納する未処理データ格納処理部３３としての機能を有している。未処理データに付加される端末ＩＤは、当該未処理データに係るジョブが中断される際に画像処理装置２が取得した端末ＩＤである。
【０１１３】
次に、第７の実施形態において、画像処理装置２及び携帯情報端末３で行われる処理手順について説明する。図１７（ａ），（ｂ）は、該処理手順を示すフローチャートである。
【０１１４】
図１７（ａ），（ｂ）に示すように、画像処理装置２及び携帯情報端末３において、図５のフローチャートにおけるステップＳ１〜Ｓ６と同様の処理を行う（ステップＳ１２１〜Ｓ１２６）。
【０１１５】
そして、情報通信部１９が携帯情報端末３から端末ＩＤを受信すると（ステップＳ１２６でＹＥＳ）、ジョブ制御部２０は、実行中又は未実行のジョブがあるか否かを判断する（ステップＳ１２７）。ジョブ制御部２０は、実行中又は未実行のジョブがあると判断すると（ステップＳ１２７でＹＥＳ）、該ジョブの実行を中断状態に設定する（ステップＳ１２８）。さらに、ジョブ制御部２０は、実行中のジョブを中断したか否かを判断する（ステップＳ１２９）。その結果、ジョブ制御部２０は、実行中のジョブを中断したと判断すると（ステップＳ１２９でＹＥＳ）、端末ＩＤ付加部３２は、図１６に示すように、該中断ジョブに係る未処理データに端末ＩＤを付加し、未処理データ格納処理部３３は、この端末ＩＤを付加した未処理データを記憶部１１に格納する（ステップＳ１３０）。そして、テーブル処理部２１は、該ジョブについての中断ジョブ管理テーブルＴ２を生成して記憶部１１に格納する（ステップＳ１３１）。
【０１１６】
一方、ステップＳ１２７において、ジョブ制御部２０は、実行中又は未実行のジョブがないと判断すると（ステップＳ１２７でＮＯ）、中断状態に設定されているジョブがあるか否かを判断する（ステップＳ１３２）。ジョブ制御部２０は、中断ジョブがあると判断すると（ステップＳ１３２でＹＥＳ）、該ジョブの中断状態を解除する（ステップＳ１３３）。ここで、ジョブ制御部２０は、実行中であった中断ジョブの中断状態が解除した場合には、その時点で取得している端末ＩＤを基に、未処理データを記憶部１１から探し出し、該未処理データに基づき当該中断ジョブの実行を途中から再開させる。そして、テーブル処理部２１は、ジョブ制御部２０の指示に基づき、中断状態を解除したジョブに係る中断ジョブ管理テーブルＴ２を削除する（ステップＳ１３４）。
【０１１７】
このように、本実施形態では、実行中に中断されたジョブの未処理データを画像処理装置２の記憶部１１に格納しておき、そのジョブを再開するときには、未処理データを記憶部１１から読み出し、該未処理データに基づき残りのジョブのみを実行する。これにより、第１〜第６の実施形態と同様、実行途中で中断されたジョブを最初からやり直す構成に比して、速やかにジョブを完了することができるとともに、ジョブがプリントの場合に無駄な出力紙が生じるのを回避することもできる。
【０１１８】
また、特に本実施形態では、ジョブに係るデータのうち未処理データを記憶部１１に格納し、ジョブ再開時にその未処理データを用いるようにしたので、既に処理した分のデータを記憶しておく必要が無くなり、その分、ジョブに係るデータを記憶するのに必要な記憶容量を小さくすることができる。また、第１〜第６の実施形態のように中断ジョブ管理テーブルＴ２に「再開動作」に係る内容を記録したり、或いは、中断ジョブ管理テーブルＴ２に「再開動作」の項目を設けたりする必要がない。
【０１１９】
また、未処理データに端末ＩＤを付加して記憶部１１に格納し、端末ＩＤを基に未処理データを探索するので、未処理データを確実に記憶部１１から探し出すことができる。
【０１２０】
（第８の実施形態）
ジョブ制御システム１の第８の実施形態について説明する。第７の実施形態では、未処理データを画像処理装置２の記憶部１１に格納するが、その格納先は、画像処理装置２や携帯情報端末３が通信を確立することができる他の通信機器でもよい。この通信機器として、例えばサーバ（外部サーバ）が考えられる。未処理データをサーバに格納する実施形態を第８の実施形態として以下説明する。本実施形態に係る技術も、第１〜第６の実施形態のいずれに採用することが可能であるが、ここでは、第１の実施形態に採用するものを第８の実施形態として説明する。
【０１２１】
図１８は、第８の実施形態に係るジョブ制御システム１の構成を示す概念図である。図１８に示すジョブ制御システム１は、画像処理装置２及び携帯情報端末３に加えて、サーバ３４を備えて構成されている。本実施形態では、画像処理装置２、携帯情報端末３及びサーバ３４のそれぞれがネットワークを介して互いにアクセスすることが可能となっている。なお、サーバ３４の一例としては、インターネットを介して文書データなどの各種データを蓄積するクラウドサービスに用いられるクラウドサーバが考えられる。
【０１２２】
図１９は、第８の実施形態に係る画像処理装置２の構成を示す図である。
【０１２３】
本実施形態に係る画像処理装置２は、図１５に示す第７の実施形態に係る画像処理装置２と同様、制御部１２が端末ＩＤ付加部３２としての機能を有する。また、制御部１２が、未処理データ格納処理部３３に代えて、サーバ情報取得部３５、未処理データ送信部３６、及び、未処理データ受信部３７としての機能を有している。
【０１２４】
サーバ情報取得部３５は、携帯情報端末３からサーバ情報を取得するものである。サーバ情報は、サーバ３４のアドレス情報を含む。未処理データ送信部３６は、ジョブ制御部２０により実行中のジョブが中断されると、サーバ情報取得部３５により取得されたサーバ情報に基づきサーバ３４にアクセスし、該サーバ３４に未処理データを送信するものである。未処理データ受信部３７は、実行中であった中断ジョブの中断状態がジョブ制御部２０により解除されると、サーバ情報取得部３５により取得されたサーバ情報に基づきサーバ３４にアクセスし、該サーバ３４から未処理データを受信するものである。
【０１２５】
次に、携帯情報端末３について説明する。図２０は、携帯情報端末３の構成を示す図である。図２０に示す携帯情報端末３は、図４に示す第１の実施形態の携帯情報端末３の構成に加えて、記憶部２６がサーバ情報を予め記憶するサーバ情報記憶手段としての機能を有する。また、制御部２７がサーバ情報送信部３９としての機能を有する。サーバ情報送信部３９は、画像処理装置２からの要求に応じて、記憶部２６からサーバ情報を読み出し、近距離無線通信を用いて画像処理装置２に送信するものである。
【０１２６】
次に、第８の実施形態において、画像処理装置２及び携帯情報端末３で行われる処理手順について説明する。図２１（ａ）〜（ｃ）は、該処理手順を示すフローチャートである。
【０１２７】
図２１（ａ）〜（ｃ）に示すように、画像処理装置２及び携帯情報端末３において、第７の実施形態に係る図１７のフローチャートのステップＳ１２１〜Ｓ１２６と同様の処理を行う（ステップＳ１４１〜Ｓ１４６）。
【０１２８】
そして、情報通信部１９が携帯情報端末３から端末ＩＤを受信すると（ステップＳ１４６でＹＥＳ）、ジョブ制御部２０は、実行中又は未実行のジョブがあるか否かを判断する（ステップＳ１４７）。ジョブ制御部２０は、実行中又は未実行のジョブがあると判断すると（ステップＳ１４７でＹＥＳ）、該ジョブの実行を中断状態に設定する（ステップＳ１４８）。さらに、ジョブ制御部２０は、実行中のジョブを中断したか否かを判断する（ステップＳ１４９）。その結果、ジョブ制御部２０は、実行中のジョブを中断したと判断すると（ステップＳ１４９でＹＥＳ）、サーバ情報取得部３５は、携帯情報端末３にサーバ情報を要求する（ステップＳ１５０）。一方、携帯情報端末３は、画像処理装置２からサーバ情報の要求を受けると（ステップＳ１５１でＹＥＳ）、サーバ情報送信部３９は、記憶部２６からサーバ情報を読み出して画像処理装置２に送信する（ステップＳ１５２）。
【０１２９】
画像処理装置２のサーバ情報取得部３５は、携帯情報端末３からサーバ情報を受信すると（ステップＳ１５３でＹＥＳ）、端末ＩＤ付加部３２は、中断したジョブの未処理データにステップＳ１４６で受信した端末ＩＤを付加し、未処理データ送信部３６は、ステップＳ１５３で受信したサーバ情報に基づきサーバ３４にアクセスし、該サーバ３４に未処理データを送信する（ステップＳ１５４）。そして、テーブル処理部２１は、ジョブ制御部２０の指示に基づき、中断状態に設定したジョブについての中断ジョブ管理テーブルＴ２を生成して記憶部１１に格納する（ステップＳ１５５）。サーバ３４は、画像処理装置２から未処理データを受信すると（ステップＳ１５６でＹＥＳ）、その未処理データを格納する（ステップＳ１５７）。
【０１３０】
一方、ステップＳ１４７において、ジョブ制御部２０は、実行中又は未実行のジョブが無いと判断すると（ステップＳ１４７でＮＯ）、中断状態に設定されているジョブがあるか否かを判断する（ステップＳ１５８）。ジョブ制御部２０は、中断ジョブがあると判断すると（ステップＳ１５８でＹＥＳ）、実行中であった中断ジョブがあるか否かを判断する（ステップＳ１５９）。ジョブ制御部２０が実行中であった中断ジョブがあると判断すると（ステップＳ１５９でＹＥＳ）、サーバ情報取得部３５は、携帯情報端末３にサーバ情報を要求する（ステップＳ１６０）。携帯情報端末３は、この要求を受けて、ステップＳ１５１，Ｓ１５２の処理を実行する。
【０１３１】
画像処理装置２のサーバ情報取得部３５が携帯情報端末３からサーバ情報を受信すると（ステップＳ１６１でＹＥＳ）、未処理データ受信部３７は、ステップＳ１４６で受信した端末ＩＤに対応する未処理データをサーバ３４に要求する（ステップＳ１６２）。サーバ３４は、画像処理装置２から未処理データの要求があると（ステップＳ１６３でＹＥＳ）、その未処理データを画像処理装置２に送信する（ステップＳ１６４）。
【０１３２】
画像処理装置２の未処理データ受信部３７は、サーバ３４から未処理データを受信すると（ステップＳ１６５でＹＥＳ）、該ジョブの中断状態を解除する（ステップＳ１６６）。ここで、ジョブ制御部２０は、実行中であった中断ジョブの中断状態が解除した場合には、ステップＳ１６５で受信した未処理データに基づき当該中断ジョブの実行を途中から再開させる。そして、テーブル処理部２１は、該ジョブに係る中断ジョブ管理テーブルＴ２を削除する（ステップＳ１６７）。
【０１３３】
このように、本実施形態においても、第７の実施形態と同様の作用効果が得られる。また、特に本実施形態では、未処理データをサーバ３４に格納する分、第７の実施形態と比べて、記憶部１１の記憶容量を小さくすることができる。
【０１３４】
（第９の実施形態）
本発明に係る第９の実施形態について説明する。第１〜第８の実施形態においては、生成した中断ジョブ管理テーブルＴ２を画像処理装置２の記憶部１１に格納する。これに対し、第９の実施形態では、中断ジョブ管理テーブルＴ２を携帯情報端末３に渡すようにしている点に特徴を有している。なお、第１の実施形態における中断ジョブ管理テーブルＴ２の格納先（画像処理装置２の記憶部１１）を携帯情報端末３に変更するものを第９の実施形態として以下説明するが、同様の変更を第１〜第８の実施形態に施すことも可能である。
【０１３５】
図２２は、第９の実施形態に係る画像処理装置２の構成を示す図である。図２３は、第９の実施形態に係る携帯情報端末３の構成を示す図である。
【０１３６】
本実施形態に係る画像処理装置２は、図２に示す第１の実施形態に係る画像処理装置２の構成に加えて、制御部１２が中断ジョブ管理テーブル送受信部４０としての機能を有している。中断ジョブ管理テーブル送受信部４０は、端末ＩＤを送信してきた携帯情報端末３との間で中断ジョブ管理テーブルＴ２を送受信するものである。
【０１３７】
一方、図２３に示すように、携帯情報端末３は、図４に示す第１の実施形態の携帯情報端末３の構成に加えて、制御部２７が、画像処理装置２との間で中断ジョブ管理テーブルＴ２を送受信する中断ジョブ管理テーブル送受信部４１としての機能を有している。また、記憶部２６は、中断ジョブ管理テーブルＴ２を記憶する中断ジョブ管理テーブル記憶手段としての機能を有している。
【０１３８】
次に、第９の実施形態において、画像処理装置２及び携帯情報端末３で行われる処理手順について説明する。図２４（ａ），（ｂ）は、該処理手順を示すフローチャートである。
【０１３９】
図２４（ａ），（ｂ）に示すように、画像処理装置２及び携帯情報端末３において、図５のフローチャートにおけるステップＳ１〜Ｓ６と同様の処理を行う（ステップＳ１７１〜Ｓ１７６）。また、携帯情報端末３において、中断ジョブ管理テーブル送受信部４１は、中断ジョブ管理テーブルＴ２を保有しているか否かを判断し、（ステップＳ１７７）、保有していると判断した場合には（ステップＳ１７７でＹＥＳ）、中断ジョブ管理テーブルＴ２を画像処理装置２に送信する（ステップＳ１７８）。なお、このとき、中断ジョブ管理テーブル送受信部４１は、中断ジョブ管理テーブルＴ２を記憶部２６から削除する。
【０１４０】
一方、情報通信部１９は、携帯情報端末３から端末ＩＤを受信すると（ステップＳ１７６でＹＥＳ）、ジョブ制御部２０は、実行中又は未実行のジョブがあるか否かを判断する（ステップＳ１７９）。その結果、ジョブ制御部２０は、実行中又は未実行のジョブがあると判断すると（ステップＳ１７９でＹＥＳ）、該ジョブの実行を中断状態に設定する（ステップＳ１８０）。そして、テーブル処理部２１は、該ジョブについての中断ジョブ管理テーブルＴ２を生成する（ステップＳ１８１）。また、中断ジョブ管理テーブル送受信部４０は、ステップＳ１７６で受信した端末ＩＤに対応する携帯情報端末３に中断ジョブ管理テーブルＴ２を送信する（ステップＳ１８２）。一方、携帯情報端末３において、中断ジョブ管理テーブル送受信部４１は、画像処理装置２から中断ジョブ管理テーブルＴ２を受信すると（ステップＳ１８３でＹＥＳ）、中断ジョブ管理テーブルＴ２を記憶部２６に格納する（ステップＳ１８４）。
【０１４１】
ステップＳ１７９において、実行中又は未実行のジョブはないと判断した場合（ステップＳ１７９でＮＯ）、携帯情報端末３から中断ジョブ管理テーブルＴ２を受信したか否かを判断する（ステップＳ１８５）。その結果、ジョブ制御部２０は、携帯情報端末３から中断ジョブ管理テーブルＴ２を受信したと判断すると（ステップＳ１８５でＹＥＳ）、その中断ジョブ管理テーブルＴ２に基づき、ジョブの中断状態を解除する（ステップＳ１８６）。そして、テーブル処理部２１は、受信した中断ジョブ管理テーブルＴ２を削除する（ステップＳ１８７）。
【０１４２】
以上のような構成を有する本実施形態においても、第１の実施形態と同様の作用効果を奏することができる。これに加えて、本実施形態では、生成した中断ジョブ管理テーブルＴ２を携帯情報端末３に渡すようにするので、図２５に示すように、図２２に示す画像処理装置２が複数存在する場合に、一の画像処理装置２において中断したジョブにつき、そのジョブの未処理データを他の画像処理装置２が取得できれば、該未処理データに基づくジョブを他の画像処理装置２で再開することができる。
【０１４３】
他の画像処理装置２が未処理データをどのようにして取得するかについては、例えば、第７の実施形態のようにジョブを中断した画像処理装置２が未処理データを保有する構成の場合には、ネットワークに接続されている他の画像処理装置２が、該ネットワークを介して、未処理データを保有する画像処理装置２から未処理データの提供を受けるという形態が考えられる。或いは、第８の実施形態のようにサーバ３４が未処理データを保有する構成の場合には、ネットワークに接続されている他の画像処理装置２が、該ネットワークを介して、未処理データを保有するサーバ３４から未処理データの提供を受けるという形態が考えられる。このような構成を実現するため、未処理データの格納先情報を中断ジョブ管理テーブルＴ２に格納するとともに、他の画像処理装置２は、この中断ジョブ管理テーブルＴ２を取得して該テーブルＴ２の格納先情報に基づき、所定の格納先（画像処理装置２又はサーバ３４）から未処理データの提供を受けるようにするとよい。
【０１４４】
（第１０の実施形態）
本発明に係る第１０の実施形態について説明する。第５の実施形態においては、操作パネル８の表示部１３（選択受付画面Ｇ１）に対する操作によって、ユーザが中断解除を指示する。これに対し、本実施形態では、中断ジョブの解除を指示するためのプログラム（アプリケーション）を生成して携帯情報端末３に格納し、携帯情報端末３において該プログラムを起動させることにより携帯情報端末３を用いて中断ジョブの解除を指示できるようにしている点に特徴を有している。なお、第１の実施形態における中断ジョブ管理テーブルＴ２の格納先（画像処理装置２の記憶部１１）を携帯情報端末３に変更したものを第１０の実施形態として以下説明するが、同様の変更を第２〜第９の実施形態に施すことも可能である。
【０１４５】
図２６は、第１０の実施形態に係る画像処理装置２の構成を示す図である。図２７は、携帯情報端末３の構成を示す図である。
【０１４６】
本実施形態に係る画像処理装置２は、図２に示す第１の実施形態に係る画像処理装置２の構成に加えて、制御部１２が、ジョブ中断解除プログラム作成部４２、ジョブ中断解除プログラム送信部４３、解除要求受信部４４、ジョブ中断解除プログラム削除要求部４５、削除完了通知受信部４６、及び、処理データ削除部４７としての機能を有している。
【０１４７】
ジョブ中断解除プログラム作成部４２は、ジョブ制御部２０がジョブを中断状態に設定すると、携帯情報端末３が当該画像処理装置２に対して中断状態の解除を要求するためのジョブ中断解除プログラムを作成するものである。ジョブ中断解除プログラム送信部４３は、ジョブ中断解除プログラム作成部４２により作成されたジョブ中断解除プログラムを携帯情報端末３に送信するものである。解除要求受信部４４は、携帯情報端末３においてジョブ中断解除プログラムが起動されることに伴い当該携帯情報端末３から送信される中断状態の解除要求を受信するものである。ジョブ中断解除プログラム削除要求部４５は、解除要求受信部４４により受信された解除要求に基づいて中断ジョブの中断状態が解除されることに伴い、携帯情報端末３に対してジョブ中断解除プログラムの削除を要求するものである。削除完了通知受信部４６は、ジョブ中断解除プログラム削除要求部４５によるジョブ中断解除プログラムの削除要求に伴って携帯情報端末３から送信される削除完了通知を受信するものである。処理データ削除部４７は、削除完了通知受信部４６により削除完了通知が受信されると、当該ジョブの実行完了後に該ジョブに係る処理データを削除するものである。
【０１４８】
一方、図２７に示すように、携帯情報端末３は、図４に示す第１の実施形態に係る携帯情報端末３の構成に加えて、制御部２７が、ジョブ中断解除プログラム受信部４８、解除要求部４９、ジョブ中断解除プログラム削除部５０及び削除完了通知部５１としての機能を有している。また、記憶部２６は、受信したジョブ中断解除プログラムを記憶するジョブ中断解除プログラム記憶手段としての機能を有している。
【０１４９】
ジョブ中断解除プログラム受信部４８は、画像処理装置２（ジョブ中断解除プログラム送信部４３）からジョブ中断解除プログラムを受信するものである。ジョブ中断解除プログラム受信部４８は、画像処理装置２からジョブ中断解除プログラムを受信すると、図２８に示すように、このジョブ中断解除プログラムの内容を図柄で記号化したアイコンＷを携帯情報端末３の表示部２４に表示させる。
【０１５０】
解除要求部４９は、ユーザによるアイコンＷの操作に基づいてジョブ中断解除プログラムが起動することにより機能するものであり、ジョブの中断状態を解除する要求を画像処理装置２に送信する。ジョブ中断解除プログラム削除部５０は、画像処理装置２から受信したジョブ中断解除プログラムの削除要求を受信し、該削除要求に基づき、ジョブ中断解除プログラムの削除を行うものである。削除完了通知部５１は、ジョブ中断解除プログラム削除部５０によるジョブ中断解除プログラムの削除が完了すると、削除が完了した旨を画像処理装置２に通知するものである。
【０１５１】
第１０の実施形態において、画像処理装置２及び携帯情報端末３で行われる処理手順について説明する。図２９（ａ），（ｂ）は、該処理手順を示すフローチャートである。
【０１５２】
図２９（ａ），（ｂ）に示すように、画像処理装置２及び携帯情報端末３において、図５のフローチャートにおけるステップＳ１〜Ｓ６と同様の処理を行う（ステップＳ１９１〜Ｓ１９６）。
【０１５３】
携帯情報端末３において、ユーザによるアイコンＷの操作によりジョブ中断解除プログラムの起動指示が行われると（ステップＳ１９７でＹＥＳ）、解除要求部４９が起動し、解除要求部４９は、ジョブの中断状態を解除する要求を画像処理装置２に送信する（ステップＳ１９８）。
【０１５４】
画像処理装置２において、情報通信部１９が携帯情報端末３から端末ＩＤを受信すると（ステップＳ１９６でＹＥＳ）、解除要求受信部４４は、携帯情報端末３から解除要求を受信したか否かを判断する（ステップＳ１９９）。解除要求受信部４４が解除要求を受信したと判断すると（ステップＳ１９９でＹＥＳ）、ジョブ制御部２０は、現在実行中又は未実行のジョブの中断設定を解除する（ステップＳ２００）。そして、テーブル処理部２１は、中断ジョブ管理テーブルＴ２を削除する（ステップＳ２０１）。そして、中断設定を解除したジョブの実行が完了すると（ステップＳ２０２でＹＥＳ）、ジョブ中断解除プログラム削除要求部４５は、携帯情報端末３に対してジョブ中断解除プログラムの削除を要求する（ステップＳ２０３）。
【０１５５】
一方、携帯情報端末３において、ジョブ中断解除プログラム削除部５０は、画像処理装置２からジョブ中断解除プログラムの削除要求を受信したか否かを判断し（ステップＳ２０４）、該削除要求を受信したと判断すると（ステップＳ２０４でＹＥＳ）、その削除要求に基づきジョブ中断解除プログラムの削除を行う（ステップＳ２０５）。その後、削除完了通知部５１は、ジョブ中断解除プログラムの削除が完了した旨を画像処理装置２に通知する（ステップＳ２０６）。
【０１５６】
画像処理装置２において、削除完了通知受信部４６は、携帯情報端末３から削除完了通知を受信したか否かを判断する（ステップＳ２０７）。削除完了通知受信部４６が削除完了通知を受信したと判断すると（ステップＳ２０７でＹＥＳ）、処理データ削除部４７は、該ジョブに係る処理データを削除する（ステップＳ２０８）。
【０１５７】
ステップＳ１９９において、解除要求受信部４４は、解除要求を受信していないと判断すると（ステップＳ１９９でＮＯ）、ジョブ制御部２０は、実行中又は未実行のジョブがあるか否かを判断する（ステップＳ２０９）。ジョブ制御部２０は、実行中又は未実行のジョブがあると判断すると（ステップＳ２０９でＹＥＳ）、該ジョブの実行を中断状態に設定する（ステップＳ２１０）。そして、テーブル処理部２１は、該ジョブについての中断ジョブ管理テーブルＴ２を作成して記憶部１１に格納する（ステップＳ２１１）。
【０１５８】
また、ジョブ中断解除プログラム作成部４２は、携帯情報端末３が当該画像処理装置２に対して中断状態の解除要求を行うためのジョブ中断解除プログラムを作成する（ステップＳ２１２）。そして、ジョブ中断解除プログラム送信部４３は、このジョブ中断解除プログラムを携帯情報端末３に送信する（ステップＳ２１３）。
【０１５９】
このように、本実施形態では、中断ジョブの解除を指示するためのプログラムを生成して携帯情報端末３に格納し、携帯情報端末３において該プログラムを起動させることにより携帯情報端末３を用いて中断ジョブの解除を指示できるようにすることにより、ユーザが中断解除の意図がある時にのみ中断解除を行うことができる。
【０１６０】
特に本実施形態では、ネットワークを介して解除要求を携帯情報端末３から画像処理装置２に送信することにより、携帯情報端末３を画像処理装置２にかざすことなく遠隔的に中断ジョブの解除を指示できるため、ジョブ制御システム１の利便性をより一層向上することができる。
【符号の説明】
【０１６１】
１  ジョブ制御システム
２  画像処理装置
３  携帯情報端末
１１  記憶部（待機ジョブ管理テーブル記憶手段、未処理データ記憶手段）
１８  接続検知部
１９  情報通信部（端末識別情報取得手段）
２０  ジョブ制御部（ジョブ中断手段、ジョブ中断解除手段）
２１  テーブル処理部（中断ジョブ管理テーブル生成手段）
２６  記憶部（端末識別情報記憶手段）
２８  接続検知部（通信相手検出手段）
２９  端末ＩＤ送信部（ジョブ制御手段）
３１  選択受付部（選択受付手段）
３２  端末ＩＤ付加部（端末識別情報付加手段）
３３  未処理データ格納処理部
３４  サーバ
３５  サーバ情報取得部
３６  未処理データ送信部（未処理データ送信手段）
３７  未処理データ受信部
３９  サーバ情報送信部
４０，４１  中断ジョブ管理テーブル送受信部（テーブル送信手段、テーブル受信手段）
４２  ジョブ中断解除プログラム作成部（プログラム生成手段）
４３  ジョブ中断解除プログラム送信部（プログラム送信手段）
４４  解除要求受信部（解除要求受信手段）
４５  ジョブ中断解除プログラム削除要求部（プログラム削除要求手段）
４６  削除完了通知受信部（通知受信手段）
４７  処理データ削除部（処理データ削除手段）
４８  ジョブ中断解除プログラム受信部
４９  解除要求部
５０  ジョブ中断解除プログラム削除部
５１  削除完了通知部
Ｇ１  選択受付画面
Ｇ２  ジョブ中断選択画面
Ｇ３  中断ジョブ解除選択画面
Ｔ１  ジョブ−ユーザテーブル
Ｔ２  中断ジョブ管理テーブル
Ｔ３  端末−ユーザテーブル
【図１】
2014187485.tif 000003
【図２】
2014187485.tif 000004
【図３】
2014187485.tif 000005
【図４】
2014187485.tif 000006
【図５】
2014187485.tif 000007
【図６】
2014187485.tif 000008
【図７】
2014187485.tif 000009
【図８】
2014187485.tif 000010
【図９】
2014187485.tif 000011
【図１０】
2014187485.tif 000012
【図１１】
2014187485.tif 000013
【図１２】
2014187485.tif 000014
【図１３】
2014187485.tif 000015
【図１４】
2014187485.tif 000016
【図１５】
2014187485.tif 000017
【図１６】
2014187485.tif 000018
【図１７】
2014187485.tif 000019
【図１８】
2014187485.tif 000020
【図１９】
2014187485.tif 000021
【図２０】
2014187485.tif 000022
【図２１】
2014187485.tif 000023
【図２２】
2014187485.tif 000024
【図２３】
2014187485.tif 000025
【図２４】
2014187485.tif 000026
【図２５】
2014187485.tif 000027
【図２６】
2014187485.tif 000028
【図２７】
2014187485.tif 000029
【図２８】
2014187485.tif 000030
【図２９】
2014187485.tif 000031